(57)【要約】【課題】メンテナンスが容易で美観に優れ、かつ成形時の離型性が良い壁面収納パネルを提供する。【解決手段】壁面に取付ける壁面収納パネルであって、前記壁面に平行に取付けられるパネル本体部と、該パネル本体部の一面から突出する複数の棚部と、を有し、前記パネル本体部と前記棚部とは、１枚の樹脂板から互いに隙間なく一体に真空成形され、前記棚部のうち、前記壁面収納パネルの取付時に下側となる下面は、前記パネル本体部の前記一面に対して、９０°以上１０５°以下の範囲で傾斜していることを特徴とする。【選択図】図１
2020146134.tif 000002
【特許請求の範囲】
【請求項１】
壁面に取付ける壁面収納パネルであって、
前記壁面に平行に取付けられるパネル本体部と、該パネル本体部の一面から突出する複数の棚部と、を有し、
前記パネル本体部と前記棚部とは、１枚の樹脂板から互いに隙間なく一体に真空成形され、
前記棚部のうち、前記壁面収納パネルの取付時に下側となる下面は、前記パネル本体部の前記一面に対して、９８°以上１１５°以下の範囲で傾斜していることを特徴とする壁面収納パネル。
【請求項２】
前記棚部のうち、前記壁面収納パネルの取付時に上側となる上面は、前記パネル本体部の前記一面に対して、９０°以上９４°以下の範囲で傾斜していることを特徴とする請求項１に記載の壁面収納パネル。
【請求項３】
前記パネル本体部の前記一面と、前記棚部の上面、下面、および側面とのそれぞれの交差部分は、湾曲面を介して連なるように形成されていることを特徴とする請求項１または２記載の壁面収納パネル。
【請求項４】
前記壁面収納パネルの取付時に最も上側に配される前記棚部は、前記パネル本体部の横幅に対して９５％以上の横幅で延びるように形成されていることを特徴とする請求項１から３のいずれか一項に記載の壁面収納パネル。
【請求項５】
前記棚部と前記パネル本体部との交差部分と、前記パネル本体部の周縁との間には、所定の幅で前記パネル本体部の一面を構成するフランジ部が形成されていることを特徴とする請求項４に記載の壁面収納パネル。
【請求項６】
前記棚部の上面は、互いに高さ位置が異なる複数の上面小領域が傾斜領域を介して一体に連なる形状を成すことを特徴とする請求項１から５のいずれか一項に記載の壁面収納パネル。
【請求項７】
前記パネル本体部は、前記一面の縁部から前記壁面に向かって延びるリブを有することを特徴とする請求項１から６のいずれか一項に記載の壁面収納パネル。
【発明の詳細な説明】
【技術分野】
【０００１】
本発明は、水回りなどに好適な壁面収納パネルに関する。
【背景技術】
【０００２】
例えば、浴室、洗面所などの水回りには、石鹸、ブラシ、整髪用品などを収納するための収納設備が備えられていることが一般的である。こうした水回りに設置する収納設備としては、壁面から突出する棚や収納ポケットなどを有するものが多い。また、鏡などを取り付け可能にしているものもある。
【０００３】
従来、こうした水回りに設置される収納設備として、例えば、特許文献１には、水栓を取り付け可能な浴室収納パネルが開示されている。また、特許文献２には、複数の収納棚を備えた浴室収納部材が開示されている。
【先行技術文献】
【特許文献】
【０００４】
【特許文献１】特開平０８−１０３３９４号公報
【特許文献２】特開２０１５−１８１７５０号公報
【発明の概要】
【発明が解決しようとする課題】
【０００５】
しかしながら、特許文献１に記載された浴室収納パネルや、特許文献２に記載された浴室収納部材は、構成が複雑で接合部分による凹凸が多く、汚れが堆積しやすく清掃がしにくいという課題があった。
【０００６】
この発明は、前述した事情に鑑みてなされたものであって、メンテナンスが容易で美観に優れ、かつ成形時の離型性が良い壁面収納パネルを提供することを目的とする。
【課題を解決するための手段】
【０００７】
上記の課題を解決するために、本発明の壁面収納パネルは、壁面に取付ける壁面収納パネルであって、前記壁面に平行に取付けられるパネル本体部と、該パネル本体部の一面から突出する複数の棚部と、を有し、前記パネル本体部と前記棚部とは、１枚の樹脂板から互いに隙間なく一体に真空成形され、前記棚部のうち、前記壁面収納パネルの取付時に下側となる下面は、前記パネル本体部の前記一面に対して、９０°以上１０５°以下の範囲で傾斜していることを特徴とする。
【０００８】
本発明の壁面収納パネルによれば、パネル本体部と棚部とは、１枚の樹脂板から互いに隙間なく一体に真空成形されているので、水回り等において汚れが付着しにくく、長期間に渡って美観を維持することができる。また、パネル本体部と棚部との間に隙間や段差がないことによって、クリーニングも容易であり、メンテナンスに係る手間を低減することができる。
【０００９】
さらに、棚部のうち、壁面収納パネルの取付時に下側となる下面を、パネル本体部の一面に対して、９０°以上１０５°以下の範囲で傾斜させたことによって、１枚の樹脂板からパネル本体部および棚部を備えた壁面収納パネルを成形する際に、成型金型のうち棚部を成形する部分の離型性を高め、棚部を破損させることなく成型金型から離型させることが可能になる。
【００１０】
また、本発明では、前記棚部のうち、前記壁面収納パネルの取付時に上側となる上面は、前記パネル本体部の前記一面に対して、９０°以上９４°以下の範囲で傾斜していてもよい。
【００１１】
また、本発明では、前記パネル本体部の前記一面と、前記棚部の上面、下面、および側面とのそれぞれの交差部分は、湾曲面を介して連なるように形成されていてもよい。
【００１２】
また、本発明では、前記壁面収納パネルの取付時に最も上側に配される前記棚部は、前記パネル本体部の横幅に対して９５％以上の横幅で延びるように形成されていてもよい。
【００１３】
また、本発明では、前記棚部と前記パネル本体部との交差部分と、前記パネル本体部の周縁との間には、所定の幅で前記パネル本体部の一面を構成するフランジ部が形成されていてもよい。
【００１４】
また、本発明では、前記棚部の上面は、互いに高さ位置が異なる複数の上面小領域が傾斜領域を介して一体に連なる形状を成していてもよい。
【００１５】
また、本発明では、前記パネル本体部は、前記一面の縁部から前記壁面に向かって延びるリブを有していてもよい。
【発明の効果】
【００１６】
本発明によれば、メンテナンスが容易で美観に優れた壁面収納パネルを提供することが可能になる。
【図面の簡単な説明】
【００１７】
【図１】本発明の第１実施形態の壁面収納パネルを示す外観斜視図である。
【図２】図１の壁面収納パネルを正面から見た時の平面図である。
【図３】図１の壁面収納パネルを壁面に取り付けた状態における上下方向に沿った断面図である。
【図４】１つの棚部とパネル本体部との交差部分を示す要部拡大断面図である。
【図５】１つの棚部とパネル本体部との交差部分を示す要部拡大断面図である。
【図６】本発明の第２実施形態の壁面収納パネルを示す外観斜視図である。
【発明を実施するための形態】
【００１８】
以下、図面を参照して、本発明の実施形態の壁面収納パネルについて説明する。なお、以下に示す各実施形態は、発明の趣旨をより良く理解させるために具体的に説明するものであり、特に指定のない限り、本発明を限定するものではない。また、以下の説明で用いる図面は、本発明の特徴をわかりやすくするために、便宜上、要部となる部分を拡大して示している場合があり、各構成要素の寸法比率などが実際と同じであるとは限らない。
【００１９】
（壁面収納パネル：第１実施形態）
図１は、本発明の第１実施形態の壁面収納パネルの外観斜視図である。また、図２は、壁面収納パネルを正面から見た時の平面図である。また、図３は、壁面収納パネルを壁面に取り付けた状態における上下方向に沿った断面図である。
第１実施形態の本発明の壁面収納パネル１０は、例えば浴室内や洗面所などの水回りの壁面１に取付けられるものであり、矩形平板状のパネル本体部１１と、このパネル本体部１１の一面１１ａから突出する複数の棚部１２，１２…と、を有している。パネル本体部１１は、一面１１ａの縁部から壁面１に向かって突出するリブ１３を有している。こうしたリブ１３は、パネル本体部１１の周縁を壁面１に向けて屈曲させた部分であり、少なくとも、壁面収納パネル１０の取付時に上側となるパネル本体部１１の上辺（周縁）に形成されていればよく、本実施形態では、パネル本体部１１の周縁全周に形成されている。
【００２０】
壁面収納パネル１０は、これらパネル本体部１１、棚部１２，１２…、およびリブ１３が、１枚の樹脂板から互いに隙間なく一体に真空成形されている。壁面収納パネル１０を構成する樹脂としては、例えば、アクリル樹脂、ポリエステル樹脂、ポリスチレン樹脂、ＡＢＳ樹脂、メラミン樹脂なとが挙げられる。樹脂の厚みΔｔとしては、例えば、１ｍｍ〜５ｍｍ程度である。
【００２１】
本実施形態では、壁面収納パネル１０は、透明なアクリル樹脂板の裏面側にアクリルシリコン系の塗膜を形成している。これにより、透明なアクリル樹脂板を介して任意の色調の塗膜が見えるので、壁面収納パネル１０全体を設置場所に応じて任意の色調にすることができる。また、塗膜を壁面収納パネル１０の表面に露呈させないことにより、塗膜の剥がれなどの損傷や、退色などの経年劣化を防止することができる。
【００２２】
こうしたパネル本体部１１の幅Ｌ１は、例えば４００ｍｍ〜８００ｍｍ程度、高さＬ２は、例えば６００ｍｍ〜１５００ｍｍ程度である。
【００２３】
図４は、側面から見た時の１つの棚部とパネル本体部との交差部分を示す要部拡大断面図である。
棚部１２，１２…は、パネル本体部１１の一面１１ａから直角を成す奥行方向Ｚに沿って手前側に突出し、幅方向Ｘに沿って延びるように形成されている。こうした棚部１２，１２…は、成形時に樹脂板が断面略コ字状に屈曲された箇所である。棚部１２，１２…とパネル本体部１１の一面１１ａとの交差部分は、湾曲面（Ｒ面）１７を介して隙間や段差がなく滑らかに連なっている。
【００２４】
棚部１２のうち、壁面収納パネル１０の取付時に下側となる下面１２ｂは、パネル本体部１１の一面１１ａに対して、９８°以上１１５°以下の範囲の角度θ２で傾斜している。このように棚部１２の下面１２ｂをパネル本体部１１の一面１１ａに対して９８°以上１１５°以下の範囲で傾斜させることによって、１枚の樹脂板からパネル本体部１１および棚部１２を備えた壁面収納パネル１０を成形する際に、成型金型のうち棚部１２を成形する部分の離型性を高め、棚部１２を破損させることなく成型金型から容易に離型させることができる。
【００２５】
また、棚部１２の下面１２ｂをパネル本体部１１の一面１１ａに対して９８°以上にすることによって、棚部１２の剛性を高め、例えば液体の入ったボトル等を載置可能な耐荷重を確保することができる。
【００２６】
また、棚部１２のうち、壁面収納パネル１０の取付時に上側となる上面１２ａは、パネル本体部１１の一面１１ａに対して、９０°以上９４°以下、好ましくは９１°以上９４°以下の範囲の角度θ１で傾斜している。このように棚部１２の上面１２ａをパネル本体部１１の一面１１ａに対して９０°以上９４°以下の範囲で傾斜させることによって、１枚の樹脂板からパネル本体部１１および棚部１２を備えた壁面収納パネル１０を成形する際に、成型金型のうち棚部１２を成形する部分の離型性を高め、棚部１２を破損させることなく成型金型から容易に離型させることができる。
【００２７】
また、壁面収納パネル１０の取付時に、棚部１２の上面１２ａがパネル本体部１１の一面１１ａに対して、９０°以上９４°以下の範囲の角度θ１で傾斜、即ち、棚部１２の上面１２ａが水平面に対して１°〜４°の範囲で突出方向に傾斜している程度であれば、棚部１２の上面１２ａに載置した物品が滑り落ちることがなく、かつ、棚部１２の上面１２ａが水濡れしても速やかに水を排水させることができる。
【００２８】
図５は、上面から見た時の１つの棚部とパネル本体部との交差部分を示す要部拡大断面図である。
棚部１２の側面１２ｃは、パネル本体部１１の一面１１ａに対して、それぞれ９６°以上１０５°以下の範囲の角度θ３で傾斜している。このように棚部１２の側面１２ｃをパネル本体部１１の一面１１ａに対して９６°以上１０５°以下の範囲で傾斜させることによって、１枚の樹脂板からパネル本体部１１および棚部１２を備えた壁面収納パネル１０を成形する際に、成型金型のうち棚部１２を成形する部分の離型性を高め、棚部１２を破損させることなく成型金型から容易に離型させることができる。
【００２９】
棚部１２，１２…は、パネル本体部１１の幅全体に延びているものや、パネル本体部１１の幅の半分以下であるものなどを、適宜組み合わせて配されている。また、高さ位置の異なる部分を違い棚状にしたものであっても良い。
【００３０】
例えば、本実施形態においてパネル本体部１１の中央付近に配された棚部１２Ｓは、上面１２Ｓａが、互いに高さ位置が異なる２つの上面小領域１２Ｓａ１、１２Ｓａ２が、傾斜領域１２Ｓｒを介して一体に連なる違い棚形状を成している。こうした違い棚形状に成形された棚部１２Ｓによって、壁面収納パネル１０のデザイン性を高めることができる。
【００３１】
また、例えば、本実施形態において、パネル本体部１１の最も上側に配された棚部１２Ｔの横幅Ｌ３は、パネル本体部１１の幅Ｌ１に対して９５％以上の横幅で延びるように形成されている。これにより、パネル本体部１１の幅Ｌ１方向の剛性を高め、樹脂の厚みΔｔを薄くしても、壁面収納パネル１０の湾曲などの変形を防止することができる。
【００３２】
また、図２に示すように、パネル本体部１１の最も上側に配された棚部１２Ｔとパネル本体部１１との交差部分、即ち棚部１２Ｔの付け根部分と、パネル本体部１１の周縁との間には、所定の幅でパネル本体部１１の一面１１ａを構成するフランジ部１１ｆが形成されている。
【００３３】
こうしたフランジ部１１ｆの幅Δｗは、例えば、１５ｍｍ以上４０ｍｍ以下になるように形成されている。棚部１２Ｔの付け根部分の周囲にフランジ部１１ｆを形成することによって、棚部１２を破損させることなく成型金型から容易に離型させることができる。また、壁面収納パネル１０全体のデザイン性の向上に寄与する。
【００３４】
また、本実施形態では、パネル本体部１１の上部および中央付近には、それぞれ互いに幅の異なり、パネル本体部１１の一面１１ａから突出する略コ字状の金属パイプ１８，１８が形成されている。こうした金属パイプ１８，１８は、例えばステンレスからなり、タオル掛けなどに利用することができる。金属パイプ１８，１８は、断面が円形や矩形など各種形状のパイプを用いることができる。
【００３５】
本実施形態の壁面収納パネル１０は、予め取付箇所の壁面１に例えば取付ネジ１６によって取付けた支持部材２１を介して壁面１に固定される。
【００３６】
なお、壁面収納パネル１０を取付ける壁面１としては、例えば、浴室のタイル壁、ユニットバスの樹脂製の内壁、洗面所の合板壁など、各種壁面が挙げられる。支持部材２１を取り付け可能な壁面であれば、取付対象は特に限定されない。
【００３７】
以上のような、本実施形態の壁面収納パネル１０によれば、パネル本体部１１と棚部１２とは、１枚の樹脂板から互いに隙間なく一体に真空成形されているので、水回り等において汚れが付着しにくく、長期間に渡って美観を維持することができる。また、パネル本体部１１と棚部１２との間に隙間や段差がないことによって、クリーニングも容易であり、メンテナンスに係る手間を低減することができる。
【００３８】
さらに、棚部１２のうち、壁面収納パネル１０の取付時に下側となる下面１２ｂを、パネル本体部１１の一面１１ａに対して、９０°以上１０５°以下の範囲で傾斜させたことによって、１枚の樹脂板からパネル本体部１１および棚部１２を備えた壁面収納パネル１０を成形する際に、成型金型のうち棚部１２を成形する部分の離型性を高め、棚部１２を破損させることなく成型金型から離型させることが可能になる。
【００３９】
（壁面収納パネル：第２実施形態）
次に、本発明の第２実施形態の壁面収納パネルについて説明する。なお、第１実施形態と同様の構成には同一の番号を付し、重複する説明は省略する。
図６は、本発明の第２実施形態の壁面収納パネルの外観斜視図である。
第２実施形態の壁面収納パネル３０は、パネル本体部３１、棚部１２，１２…、およびリブ１３が、１枚の樹脂板から互いに隙間なく一体に真空成形されている。そして、本実施形態の壁面収納パネル３０では、パネル本体部３１の左半分程度の領域に、鏡３３が取り付けられている。
【００４０】
鏡３３は、例えば長方形板状を成し、例えば、上端および下端で鏡係止具（図示略）や、両面粘着テープによってパネル本体部３１の一面３１ａに固定されていればよい。
こうした鏡３３を備えた壁面収納パネル３０は、例えば浴室に設置することによって、浴室の美観を向上させ、かつ汚れが付着し似にくくメンテナンスも容易にすることができる。
【００４１】
以上、本発明の実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４２】
１…壁面
１０…壁面収納パネル
１１…パネル本体部
１２…棚部
１３…リブ
【図１】
2020146134.tif 000003
【図２】
2020146134.tif 000004
【図３】
2020146134.tif 000005
【図４】
2020146134.tif 000006
【図５】
2020146134.tif 000007
【図６】
2020146134.tif 000008